(57)【特許請求の範囲】
【請求項１】
昇降路に設けられた主ガイドレールと、この主ガイドレールに案内されて昇降するメインロープに吊されたかご枠と、このかご枠に相互に上下方向に移動可能に保持された二つのかご室と、前記かご枠の上部に設けられたシーブと、このシーブに巻装され一端が前記かご室のうち上方に位置するかご室の上部に止着され、他端が下方に位置するかご室の上部に止着されたサブロープと、前記二つのかご室にそれぞれ設けられ、各かご室を前記主ガイドレールまたは前記かご枠に選択的に係止させる制動装置とを具備することを特徴とするダブルデッキエレベータ。
【請求項２】
昇降路に設けられた主ガイドレールと、この主ガイドレールに案内されて昇降するメインロープに吊されたかご枠と、このかご枠に設けられた副ガイドレールと、前記かご枠に相互に上下方向に移動可能に保持され前記副ガイドレールに案内される二つのかご室と、前記かご枠の上部に設けられたシーブと、このシーブに巻装され一端が前記かご室のうち上方に位置するかご室の上部に止着され、他端が下方に位置するかご室の上部に止着されたサブロープと、前記二つのかご室にそれぞれ設けられ、各かご室を前記主ガイドレールまたは前記副ガイドレールに選択的に係止させる制動装置とを具備することを特徴とするダブルデッキエレベータ。
【請求項３】
昇降路に設けられた主ガイドレールと、この主ガイドレールに案内されて昇降するメインロープに吊されたかご枠と、このかご枠に相互に上下方向に移動可能に保持された二つのかご室と、前記かご枠の上部に設けられたシーブと、このシーブに巻装され一端が前記かご室のうち上方に位置するかご室の上部に止着され、他端が下方に位置するかご室の上部に止着されたサブロープと、前記二つのかご室を選択的に前記主ガイドレールに係止させる第１の制動装置と、前記シーブまたは前記サブロープの動きを阻止する第２の制動装置とを具備することを特徴とするダブルデッキエレベータ。
【請求項４】
前記二つのかご室の上下方向への移動を案内する副ガイドレールを、前記かご枠に設けたことを特徴とする請求項３に記載のダブルデッキエレベータ。
【発明の詳細な説明】
【０００１】
【発明の属する技術分野】
本発明は、上下方向に配置されている二つのかご室をかご枠に保持したダブルデッキエレベータに係り、特に異なる階床間隔をもった建物に設置するのに適するように、かご室の間隔を着床する乗場の階床間隔に合わせて調整できるようにしたダブルデッキエレベータに関する。
【０００２】
【従来の技術】
限られたスペースの昇降路内で輸送能力を高める方策の一つとして、二つのかご室を上下方向に配置したダブルデッキエレベータが知られている。このダブルデッキエレベータの従来の概略構成を、図１０を参照して説明する。
【０００３】
すなわち、昇降路の上部には、図示しない巻上機によって駆動される駆動シーブ１が設けられており、この駆動シーブ１にメインロープ２が巻装されている。そして、メインロープ２の一端にかご枠３が止着され、メインロープ２の他端にはつり合いおもり４が止着されている。かご枠３には二つのかご室５ａ、５ｂが上下方向に配置されて保持されている。また、メインロープ２の重量を補償するための補償ロープ７が昇降路の底部に設けられている補償シーブ８に巻装されており、その一端がかご枠３に止着され、補償ロープ７の他端はつり合いおもり４に止着されている。さらに、かご枠３には、機械室に設けられている図示しない制御盤とかご室５ａ、５ｂとの間に制御信号などを伝送するためのテールコード９の一端部が係止され、このテールコード９の他端部は昇降路の中間部分に係止されている。
【０００４】
なお、かご室５ａ、５ｂは、駆動シーブ１によって巻き上げまたは巻き下げられるメインロープ２によって、かご枠３とともに昇降路内を昇降するが、その際かご枠３は、昇降路に沿って設けられているガイドレール１０に、かご枠３に取り付けられているガイド装置１１を介して案内される。また、つり合いおもり４は、つり合いおもり用ガイドレール１２に、つり合いおもり４に取り付けられているガイド装置１３を介して案内される。
【０００５】
ところで、上記のようなダブルデッキエレベータは、二つのかご室５ａ、５ｂの間隔は固定されているので、ダブルデッキエレベータを設置する建物は、全階にわたって階床間の間隔が一定に揃っている必要があり、一方、ダブルデッキエレベータの二つのかご室５ａ、５ｂの間隔は、建物の階床間の間隔に合わせて、設計されている必要があった。しかしながら、建物の構造やデザインなどの多様化が進み、建物の階床間隔を全階にわたって一定に揃えた設計とすることは困難となってきた。
【０００６】
そこで、このような不都合を解消するために、特開昭４８−７６２４２号公報に示されているように、上下のかご室の一方を各階床間隔に合わせて移動させるようにしたダブルデッキエレベータが提案されている。
【０００７】
すなわち、図１１はその一例であり、かご枠３に保持されている二つのかご室５ａ、５ｂのうち、上方に位置しているかご室５ａはかご枠３に沿って上下方向に移動可能となるようにガイド装置２１によって保持され、下方に位置しているかご室５ｂはかご枠３に固定されている。そして、かご室５ａを上下方向に移動させる手段として、かご枠１に巻取車２２とこの巻取車２２を駆動する電動機（図示せず）とを取り付けるとともに、巻取車２２に巻装した一対のロ一プ２３を、案内シーブ２４を介してかご室５ａの下部にそれぞれ止着している。従って、電動機によって巻取車２２を回転させて、ロープ２３を巻取りまたは巻戻すことにより、かご室５ａが上下に移動し、かご室５ａと固定されているかご室５ｂとの間隔を、建物の階床間隔に合わせて調整するように構成されている。
【０００８】
また、図１２は他の例であり、かご枠３に固定したはり２５に油圧ジヤッキ２６を設置し、この油圧ジヤッキ２６の上端を、ガイド装置２１によってかご枠３に保持されて上下方向に移動可能な上方のかご室５ａの下面に連結し、油圧ジヤツキ２６を駆動することにより、かご室５ａを上下させて、かご室５ａとかご室５ｂとの間隔を、建物の階床間隔に合わせ調整可能に構成されている。
【０００９】
【発明が解決しようとする課題】
しかしながら、特開昭４８−７６２４２号公報に示されている従来のダブルデッキエレベータは、かご室５ａを上方へ移動させるために、巻取車２２を駆動する電動機あるいは油圧ジヤッキ２６によって、かご室５ａを持ち上げるように構成されている。
【００１０】
すなわち従来は、二つのかご室５ａ、５ｂを移動させるための電動機あるいは油圧ジャッキ２６のような駆動装置を必要とするものであり、そのため、電動機を設けたものでは、騒音や振動が大きくなって乗客に不快感を与えることになるという問題が生じた。また、油圧ジヤッキ２６を設ける場合には、二つのかご室５ａ、５ｂの間にその設置スペースが必要なため、二つのかご室５ａ、５ｂの最小間隔に制限を生ずるという課題があった。
【００１１】
本発明は、このような従来の課題を解決するためになされたものであり、特別な駆動装置を必要とせずに、二つのかご室の間隔を、着床する乗場の階床間隔に合わせて調整することのできるダブルデッキエレベータを提供するものである。
【００１２】
【課題を解決するための手段】
上記従来の課題を解決するために、請求項１に記載の発明は、昇降路に設けられた主ガイドレールと、この主ガイドレールに案内されて昇降するメインロープに吊されたかご枠と、このかご枠に相互に上下方向に移動可能に保持された二つのかご室と、前記かご枠の上部に設けられたシーブと、このシーブに巻装され一端が前記かご室のうち上方に位置するかご室の上部に止着され、他端が下方に位置するかご室の上部に止着されたサブロープと、前記二つのかご室にそれぞれ設けられ、各かご室を前記主ガイドレールまたは前記かご枠に選択的に係止させる制動装置とを具備することを特徴とする。
【００１３】
このように請求項１記載の発明によれば、かご室の着床に際し、特別の駆動装置を使用することなく、制動装置を選択的に制御することによって、二つのかご室の間隔を適宜調整することができる。
【００１４】
また、請求項２に記載の発明は、昇降路に設けられた主ガイドレールと、この主ガイドレールに案内されて昇降するメインロープに吊されたかご枠と、このかご枠に設けられた副ガイドレールと、前記かご枠に相互に上下方向に移動可能に保持され前記副ガイドレールに案内される二つのかご室と、前記かご枠の上部に設けられたシーブと、このシーブに巻装され一端が前記かご室のうち上方に位置するかご室の上部に止着され、他端が下方に位置するかご室の上部に止着されたサブロープと、前記二つのかご室にそれぞれ設けられ、各かご室を前記主ガイドレールまたは前記副ガイドレールに選択的に係止させる制動装置とを具備することを特徴とする。
【００１５】
このように、請求項２に記載の発明においても、メインロープの巻き上げ巻き下げに応じて、二つのかご室に設けた制動装置を選択的に制御することによって、かご室の間隔を適宜調整することができる。
【００１６】
また、請求項３に記載の発明は、昇降路に設けられた主ガイドレールと、この主ガイドレールに案内されて昇降するメインロープに吊されたかご枠と、このかご枠に相互に上下方向に移動可能に保持された二つのかご室と、前記かご枠の上部に設けられたシーブと、このシーブに巻装され一端が前記かご室のうち上方に位置するかご室の上部に止着され、他端が下方に位置するかご室の上部に止着されたサブロープと、前記二つのかご室を選択的に前記主ガイドレールに係止させる第１の制動装置と、前記シーブまたは前記サブロープの動きを阻止する第２の制動装置とを具備することを特徴とする。
【００１７】
このように、請求項３に記載の発明においても、メインロープの巻き上げ巻き下げに応じて第１の制動装置または第２の制動装置を選択的に制御することによって、かご室の間隔を適宜調整することができる。
【００１８】
さらに、請求項４に記載の発明は、請求項３に記載のダブルデッキエレベータにおいて、前記二つのかご室の上下方向への移動を案内する副ガイドレールを前記かご枠に設けたことを特徴とするものである。
【００１９】
このように、請求項４に記載の発明によれば、二つのかご室を副ガイドレールに案内させるので、請求項３に記載の発明の作用に加えて、かご枠への負担を軽減させることができる。
【００２０】
【発明の実施の形態】
以下、本発明に係るダブルデッキエレベータの一実施の形態について、図１ないし図９を参照して詳細に説明する。なお、これらの図において図１０と同一部分には同一符号を付し、詳細な説明は省略する。
【００２１】
図１は、本発明に係るダブルデッキエレベータの第１の実施の形態の概略構成を示した、かご枠に保持されている二つのかご室部分の正面図であり、図２は、図１のＡ−Ａ線に沿う矢視断面図である。これらの図に示されているように、昇降路の上部に設けられている駆動シーブ１（図１０参照）に巻装されたメインロープ２にかご枠３が吊されており、かご枠３は昇降路に設けられている主ガイドレール１０に案内されて昇降移動する。かご枠３は略中央部で仕切り３ａによって仕切られており、上方の枠内に上部かご室５ａが配置され、下部の枠内に下部かご室５ｂが配置されている。そして、かご枠３に沿って副ガイドレール３１がそれぞれ固定されており、各かご室５ａ、５ｂは、この副ガイドレール３１に案内されて、上下方向に移動可能なようにかご枠３に保持されている。なお、つり合いおもり４、補償ロープ７、テールコード９などの図示は省略した。
【００２２】
また、かご枠３の上部に一対のシーブ３２が設けられており、このシーブ３２にサブロープ３３がそれぞれ巻装されている。サブロープ３３の一端は、上部かご室５ａの上部に止着され、他端は下部かご室５ｂの上部に止着されている。なお、サブロープ３３は、上部かご室５ａがかご枠３内の略最上部に位置したときに、下部かご室５ｂがかご枠３内の略最下部に位置するような長さに調節されている。すなわち、各かご室５ａ、５ｂは、サブロープ３３によって連結されているため、例えば一方のかご室が上昇すれば他方のかご室が下降するように、副ガイドレール３１に案内されて、相互に上下方向に移動可能となっている。
【００２３】
さらに、二つのかご室５ａ、５ｂには、各かご室５ａ、５ｂを主ガイドレール１０または副ガイドレール３１に選択的に係止させる制動装置３４、３５がそれぞれ設けられている。
【００２４】
制動装置３４の概略構成は図３の断面図に示すように、例えば上部かご室５ａに設けられる制動装置３４は、外部制動装置３４ａと内部制動装置３４ｂとから成り、外部制動装置３４ａは主ガイドレール１０に係合し、内部制動装置３４ｂは副ガイドレール３１に係合している。各制動装置は例えばバネによってガイドレールに圧接されるブレーキシュー、このブレーキシューを保持するアーム、通電により駆動されてアームを開き、ブレーキシューをガイドレールから解放する電磁ソレノイド等で構成することができる。
【００２５】
そして、制動作用を働かせるときには、外部制動装置３４ａは主ガイドレール１０を挟み込むように作動して、上部かご室５ａを主ガイドレール１０に係止させ、一方、内部制動装置３４ｂは副ガイドレール３１を挟み込むように作動して、上部かご室５ａを副ガイドレール３１に係止させる。
【００２６】
なお、下部かご室５ｂに設けられる制動装置３５も制動装置３４と同様に、外部制動装置３５ａと内部制動装置３５ｂとから成り、外部制動装置３５ａは主ガイドレール１０に係合し、内部制動装置３５ｂは副ガイドレール３１に係合するように構成されており、制動作用も同様なのでその説明は省略する。また、制動装置３４としての外部制動装置３４ａと内部制動装置３４ｂ、および制動装置３５としての外部制動装置３５ａと内部制動装置３５ｂとは、図示しない制御装置によって各々別々に制御されるよう構成されている。
【００２７】
次に、上記のように構成された本発明に係るダブルデッキエレベータの第１の実施の形態の作用を説明する。
【００２８】
本発明のダブルデッキエレベータは、制動装置３４としての外部制動装置３４ａと内部制動装置３４ｂ、および制動装置３５としての外部制動装置３５ａと内部制動装置３５ｂとの動作を、図示しない制御装置によって選択的に制御するとともに、メインロープ２の巻き上げと巻き下げによるかご枠３の上昇する力と下降する力を利用することにより、上部かご室５ａと下部かご室５ｂの間隔を、狭くしたり広くするように適宜調整するものである。
【００２９】
先ず、上部かご室５ａと下部かご室５ｂとの間隔を調整する必要のないときは、両方の内部制動装置３４ｂ、３５ｂ共に制動動作させて、二つのかご室５ａ、５ｂを副ガイドレール３１に係止させておく。このような状態でメインロープ２を巻き上げたり巻き下げることにより、上部かご室５ａと下部かご室５ｂの間隔を初期状態に維持したままかご枠３は昇降する。
【００３０】
次に、ダブルデッキエレベータの上昇時に、着床する階床間隔に合わせて上部かご室５ａと下部かご室５ｂとの間隔を狭くする必要のあるときは、図４に示すフローチャートに従うように動作が制御される。すなわち、ステップＡ１として上部かご室５ａに設けられている制動装置３４の外部制動装置３４ａを動作させて、上部かご室５ａを主ガイドレール１０に係止させる。このとき内部制動装置３４ｂや下部かご室５ｂの制動装置３５は、動作させずフリーの状態にしてある。この状態でステップＡ２に進み、駆動シーブ１を駆動する。よって、メインロープ２の巻き上げに応じて、かご枠３が上昇しかご枠３とともにシーブ３２も上昇する（ステップＡ３）。ところで、シーブ３２の上昇により、サブロープ３３に止着されている下部かご室５ｂも上昇する（ステップＡ４）が、上部かご室５ａが主ガイドレール１０に係止されているため、上部かご室５ａから見れば、かご枠３と下部かご室５ｂが上昇するため、上部かご室５ａと下部かご室５ｂとの間隔が狭くなる。
【００３１】
そこで、ステップＡ５として、上部かご室５ａと下部かご室５ｂとの間隔が所望の間隔になったか否かを判断し、所望の間隔になるまでこれまでの動作を継続する。そして、所望の間隔になればステップＡ６へ進み、両かご室５ａ、５ｂに設けられている内部制動装置３４ｂ、３５ｂを共に動作させて、二つのかご室５ａ、５ｂを副ガイドレール３１に係止させて、上部かご室５ａと下部かご室５ｂとの間隔を固定する。さらに、外部制動装置３４ａの動作を解除して、主ガイドレール１０に対する上部かご室５ａの係止状態を解く（ステップＡ７）。このようにして、上部かご室５ａと下部かご室５ｂとの間隔を、所望の間隔に狭くしてダブルデッキエレベータを上昇させ、所定の階床に着床させる。
【００３２】
次に、ダブルデッキエレベータの上昇時に、着床する階床間隔に合わせて上部かご室５ａと下部かご室５ｂとの間隔を広げる場合の制御について、図５に示すフローチャートに従って動作を説明する。
【００３３】
このときは、ステップＢ１として下部かご室５ｂに設けられている制動装置３５の外部制動装置３５ａを動作させて、下部かご室５ｂを主ガイドレール１０に係止させる。このとき内部制動装置３５ｂや上部かご室５ａの制動装置３４は、動作させずフリーの状態にしてある。この状態でステップＢ２に進み、駆動シーブ１を駆動する。よって、メインロープ２の巻き上げに応じて、かご枠３が上昇しかご枠３とともにシーブ３２も上昇する（ステップＢ３）。ところで、シーブ３２の上昇により、サブロープ３３に止着されている上部かご室５ａも上昇する（ステップＢ４）が、下部かご室５ｂが主ガイドレール１０に係止されているため、下部かご室５ｂから見れば、かご枠３と上部かご室５ａが上昇するため、上部かご室５ａと下部かご室５ｂとの間隔が広くなる。
【００３４】
そこで、ステップＢ５として、上部かご室５ａと下部かご室５ｂとの間隔が所望の間隔に広がったか否かを判断し、所望の間隔に広がるまでこれまでの動作を継続する。そして、所望の間隔になればステップＢ６へ進み、両かご室５ａ、５ｂに設けられている内部制動装置３４ｂ、３５ｂを共に動作させて、二つのかご室５ａ、５ｂを副ガイドレール３１に係止させて、上部かご室５ａと下部かご室５ｂとの間隔を固定する。さらに、外部制動装置３５ａの動作を解除して、主ガイドレール１０に対する下部かご室５ｂの係止状態を解く（ステップＢ７）。このようにして、上部かご室５ａと下部かご室５ｂとの間隔を、所望の間隔に広げてダブルデッキエレベータを上昇させる。
【００３５】
逆に、ダブルデッキエレベータの下降時に、着床する階床間隔に合わせて上部かご室５ａと下部かご室５ｂとの間隔を狭める場合の制御について、図６にフローチャートを示してあり、上部かご室５ａと下部かご室５ｂとの間隔を広げる場合の制御について、図７にフローチャートを示してあるので、これらについて動作を説明する。
【００３６】
先ず、ダブルデッキエレベータの下降時に、上部かご室５ａと下部かご室５ｂとの間隔を狭める場合は、ステップＣ１として下部かご室５ｂに設けられている制動装置３５の外部制動装置３５ａを動作させて、下部かご室５ｂを主ガイドレール１０に係止させる。このとき内部制動装置３５ｂや上部かご室５ａの制動装置３４は、動作させずフリーの状態にしてある。この状態でステップＣ２に進み、駆動シーブ１をメインロープ２を巻き下げるように駆動する。よって、メインロープ２の巻き下げに応じて、かご枠３が下降しかご枠３とともにシーブ３２も下降する（ステップＣ３）。ところで、シーブ３２の下降により、サブロープ３３に止着されている上部かご室５ａも下降する（ステップＣ４）が、下部かご室５ｂが主ガイドレール１０に係止されているため、下部かご室５ｂから見れば、かご枠３と上部かご室５ａが下降するため、上部かご室５ａと下部かご室５ｂとの間隔が狭くなる。
【００３７】
そこで、ステップＣ５として、上部かご室５ａと下部かご室５ｂとの間隔が狭まり所望の間隔になったか否かを判断し、所望の間隔になるまでこれまでの動作を継続する。そして、所望の間隔になればステップＣ６へ進み、両かご室５ａ、５ｂに設けられている内部制動装置３４ｂ、３５ｂを共に動作させて、二つのかご室５ａ、５ｂを副ガイドレール３１に係止させて、上部かご室５ａと下部かご室５ｂとの間隔を固定する。さらに、外部制動装置３５ａの動作を解除して、主ガイドレール１０に対する下部かご室５ｂの係止状態を解く（ステップＣ７）。このようにして、上部かご室５ａと下部かご室５ｂとの間隔を、所望の間隔になるように狭めてダブルデッキエレベータを下降させる。
【００３８】
次に、ダブルデッキエレベータの下降時に、上部かご室５ａと下部かご室５ｂとの間隔を広げる場合は、図７に示すように、ステップＤ１として上部かご室５ａに設けられている制動装置３４の外部制動装置３４ａを動作させて、上部かご室５ａを主ガイドレール１０に係止させる。このとき内部制動装置３４ｂや下部かご室５ｂの制動装置３５は、動作させずフリーの状態にしてある。この状態でステップＤ２に進み、駆動シーブ１をメインロープ２を巻き下げるように駆動する。よって、メインロープ２の巻き下げに応じて、かご枠３が下降しかご枠３とともにシーブ３２も下降する（ステップＤ３）。ところで、シーブ３２の下降により、サブロープ３３に止着されている下部かご室５ｂも下降する（ステップＤ４）が、上部かご室５ａが主ガイドレール１０に係止されているため、上部かご室５ａから見れば、かご枠３と下部かご室５ｂが下降するため、上部かご室５ａと下部かご室５ｂとの間隔が広くなる。
【００３９】
そこで、ステップＤ５として、上部かご室５ａと下部かご室５ｂとの間隔が所望の間隔に広がったか否かを判断し、所望の間隔に広がるまでこれまでの動作を継続する。そして、所望の間隔になればステップＤ６へ進み、両かご室５ａ、５ｂに設けられている内部制動装置３４ｂ、３５ｂを共に動作させて、二つのかご室５ａ、５ｂを副ガイドレール３１に係止させて、上部かご室５ａと下部かご室５ｂとの間隔を固定する。さらに、外部制動装置３４ａの動作を解除して、主ガイドレール１０に対する上部かご室５ａの係止状態を解く（ステップＤ７）。このようにして、上部かご室５ａと下部かご室５ｂとの間隔を、所望の間隔に広げてダブルデッキエレベータを下降させる。
【００４０】
なお、上述の実施の形態において、内部制動装置３４ａ、３４ｂは、各かご室５ａ、５ｂを副ガイドレール３１に係止させるものとして説明したが、副ガイドレール３１に代えてかご枠３に係止させるようにしてもよいことは言うまでもない。
【００４１】
このように、本発明によればダブルデッキエレベータの上昇時や下降時に、かご枠３を巻き上げあるいは巻き下げる動力を利用して、上部かご室５ａと下部かご室５ｂとの間隔を、狭めたり広げたり適宜調整することができるので、従来のように、特別の駆動装置を必要とはしない。よって、駆動装置による騒音や振動によって乗客に不快感を与えることもなく、また、二つのかご室５ａ、５ｂの間に油圧ジヤッキを設置するようなスペースも必要とせず、階床間隔が一定でない建物に設置するのに好適なダブルデッキエレベータが提供される。
【００４２】
次に、本発明の第２の実施の形態について説明する。
【００４３】
図８および図９は、本発明に係るダブルデッキエレベータの第２の実施の形態の概略構成を示した説明図であり、図８は、図１と同様にかご枠に保持されている二つのかご室部分の正面図、図９は、図３と同様に制動装置の概略構成を示した断面図である。
【００４４】
すなわち、第２の実施の形態では、第１の実施の形態で設けられていた制動装置３４、３５は、各かご室を５ａ、５ｂを主ガイドレール１０に係止させる外部制動装置３４ａ、３５ａのみとなっていて、各かご室５ａ、５ｂを副ガイドレール３１に係止させる内部制動装置３４ｂ、３５ｂは設けられていない。そして、第１の実施の形態で説明した内部制動装置３４ｂ、３５ｂの機能を果たすものとして、第２の実施の形態では、サブロープ３３に係合する制動装置３６がかご枠３に設けられている。
【００４５】
よって、上部かご室５ａと下部かご室５ｂとの間隔を調整する必要のないときは、制動装置３６を制動動作させて、サブロープ３３を制動装置３６に係止させることにより、二つのかご室５ａ、５ｂはかご枠３内での上下方向への移動が阻止される。このような状態でメインロープ２を巻き上げたり巻き戻すことにより、上部かご室５ａと下部かご室５ｂの間隔を初期状態に維持したままかご枠３は昇降移動する。
【００４６】
一方、ダブルデッキエレベータの昇降時に、着床する階床間隔に合わせて上部かご室５ａと下部かご室５ｂとの間隔を狭くしたり広くする際には、図４ないし図７に示したフローチャートに従って同様に動作が制御される。ただし、このとき内部制動装置３４ｂ、３５ｂの動作は、制動装置３６の動作に置き換えられるものであり、ステップＡ６、ステップＢ６、ステップＣ６、ステップＤ６に対応する動作は、制動装置３６を制動動作させて、サブロープ３３を係止させてその動きを阻止するように制御して、上部かご室５ａと下部かご室５ｂとの間隔を固定することになる。
【００４７】
なお、第２の実施の形態において、制動装置３６は、ブロープ３３を係止させて各かご室５ａ、５ｂの間隔を固定するものとして説明したが、サブロープ３３に代えてサブロープ３３が巻装されているシーブ３２を係止させることにより、その動きを阻止して、上部かご室５ａと下部かご室５ｂとの間隔を固定するようにしてもよいことは言うまでもない。
【００４８】
以上詳述したように、本発明によれば、特別の駆動装置を必要とすることなく、ダブルデッキエレベータの上昇時や下降時に、上部かご室５ａと下部かご室５ｂとの間隔を、広げたり狭めたり適宜調整することができる。従って従来のように、駆動装置による騒音や振動によって乗客に不快感を与えることもなく、また、二つのかご室５ａ、５ｂの間に油圧ジヤッキを設置するようなスペースも必要とせず、階床間隔が一定でない建物に設置するのに好適なダブルデッキエレベータを提供することができる。
【００４９】
【発明の効果】
請求項１に記載の発明によるダブルデッキエレベータによれば、かご室の着床に際し、従来のように特別の駆動装置を使用することなく、単に制動装置を選択的に制御することによって、二つのかご室の間隔を適宜調整する効果が得られる。
【００５０】
請求項２に記載の発明によれば、メインロープの巻き上げ巻き下げに応じて、二つのかご室に設けた制動装置を選択的に制御することにより、同様にかご室の間隔を適宜調整することができる。
【００５１】
また、請求項３に記載の発明によっても、メインロープの巻き上げ巻き下げに応じて第１の制動装置または第２の制動装置を選択的に制御するので、同様に、かご室の間隔を適宜調整することができる。
【００５２】
さらにまた、請求項４に記載の発明によれば、二つのかご室を副ガイドレールに案内させるので、請求項３に記載の発明の効果に加えて、かご枠への負担を軽減させる特長が得られる。
【図面の簡単な説明】
【図１】本発明に係るダブルデッキエレベータの第１の実施の形態の概略構成を示した、二つのかご室部分の正面図である。
【図２】図１のＡ−Ａ線に沿う矢視断面図である。
【図３】第１の実施の形態に適用される制動装置の概略構成を示した断面図である。
【図４】図１に示したダブルデッキエレベータにおいて、エレベータの上昇時に、かご室の間隔を狭める場合の動作を説明するために示したフローチャートである。
【図５】図１に示したダブルデッキエレベータにおいて、エレベータの上昇時に、かご室の間隔を広げる場合の動作を説明するために示したフローチャートである。
【図６】図１に示したダブルデッキエレベータにおいて、エレベータの下降時に、かご室の間隔を狭める場合の動作を説明するために示したフローチャートである。
【図７】図１に示したダブルデッキエレベータにおいて、エレベータの下降時に、かご室の間隔を広げる場合の動作を説明するために示したフローチャートである。
【図８】本発明に係るダブルデッキエレベータの第２の実施の形態の概略構成を示した二つのかご室の正面図である。
【図９】図８に示したダブルデッキエレベータに適用される制動装置の概略構成を示した断面図である。
【図１０】従来のダブルデッキエレベータの概略構成を示した説明図である。
【図１１】従来のダブルデッキエレベータのかご室の移動手段を説明するために示したかご枠部分の正面図である。
【図１２】従来のダブルデッキエレベータのかご室の他の移動手段を説明するために示したかご枠部分の正面図である。
【符号の説明】
２  メインロープ
３  かご枠
５ａ、５ｂ  かご室
１０  主ガイドレール
３１  副ガイドレール
３２  シーブ
３３  サブロープ
３４、３５  制動装置
３４ａ、３５ａ  外部制動装置
３４ｂ、３５ｂ  内部制動装置
【図１】
0004260288.tif 000002
【図２】
0004260288.tif 000003
【図３】
0004260288.tif 000004
【図４】
0004260288.tif 000005
【図５】
0004260288.tif 000006
【図６】
0004260288.tif 000007
【図７】
0004260288.tif 000008
【図８】
0004260288.tif 000009
【図９】
0004260288.tif 000010
【図１０】
0004260288.tif 000011
【図１１】
0004260288.tif 000012
【図１２】
0004260288.tif 000013